(57)【要約】  本出願は、メッセージ処理方法、未読メッセージ表示方法、およびコンピュータ端末を開示する。方法は、ダイアログメッセージから未読メッセージを取得し、前記未読メッセージの要約されたメッセージ内容を取得するために前記未読メッセージを要約し、前記要約されたメッセージ内容をユーザに示すことを備える。本出願は、インスタントメッセージングツールを使用する過程におけるユーザによる未読メッセージの処理が非効率であるという技術問題を解決する。【選択図】図９
2021513777.tif 000002
【特許請求の範囲】
【請求項１】
メッセージ処理方法であって、
ダイアログメッセージから未読メッセージを取得し、
前記未読メッセージの要約されたメッセージ内容を取得するために、前記未読メッセージを要約し、
前記要約されたメッセージ内容をユーザに示すこと
を備えることを特徴とするメッセージ処理方法。
【請求項２】
請求項１に記載のメッセージ処理方法であって、前記要約されたメッセージ内容を示すことは、指定されたオブジェクトが位置する通信記録インタフェースの指定表示領域内に前記要約されたメッセージ内容を表示することを備え、前記指定表示領域は、前記通信記録インタフェースに重なる表示領域である、ことを特徴とするメッセージ処理方法。
【請求項３】
請求項２に記載のメッセージ処理方法であって、前記要約されたメッセージ内容を示した後、前記指定表示領域内で前記未読メッセージに向けた動作命令を受信し、および前記動作命令に従って、前記未読メッセージに向けた、前記動作命令に対応する操作を実行するステップをさらに備えることを特徴とするメッセージ処理方法。
【請求項４】
請求項３に記載のメッセージ処理方法であって、前記動作命令に従って、前記未読メッセージに向けた、前記動作命令に対応する前記操作を実行することは、
すべての前記未読メッセージに返信すること、すべての前記未読メッセージの未読状態または既読状態を調節すること、およびすべての前記未読メッセージを評価すること
のうち少なくとも１つを含むことを特徴とするメッセージ処理方法。
【請求項５】
請求項１に記載のメッセージ処理方法であって、前記要約されたメッセージ内容を前記ユーザに示すとき、前記方法は、
前記ダイアログメッセージに関連するグループ内の指定されたメッセージ投稿オブジェクトを決定し、前記指定されたメッセージ投稿オブジェクトは、グループオブジェクト内で最高優先度レベルのメッセージ投稿オブジェクト、または前記グループオブジェクト内で最も多く投稿されたメッセージを伴うＮ個のメッセージ投稿オブジェクトを備え、前記Ｎは１以上の自然数であり、
前記指定されたメッセージ投稿オブジェクトにより前記グループ内に投稿されたメッセージの数をカウントし、
前記指定されたメッセージ投稿オブジェクトにより投稿された前記メッセージの前記数を示すこと
を備えることを特徴とするメッセージ処理方法。
【請求項６】
請求項１から５のいずれか一項に記載のメッセージ処理方法であって、前記未読メッセージを要約する前に、
前記ダイアログメッセージに関連する前記グループ内の未読メッセージの数を取得し、
前記数を事前設定しきい値と比較し、比較結果に基づき前記未読メッセージの要約をトリガすべきか否かを判断し、前記未読メッセージの前記要約は、前記数が前記事前設定しきい値よりも大きいことを前記比較結果が示すときにトリガされること
をさらに備えることを特徴とするメッセージ処理方法。
【請求項７】
未読メッセージ表示方法であって、
指定されたオブジェクトに対応するすべての未読メッセージの数を取得し、
前記数を事前設定しきい値と比較し、
前記数が前記事前設定しきい値よりも大きいとき、第２のメッセージ内容を取得するために、前記すべての未読メッセージの第１のメッセージ内容を要約し、前記第２のメッセージ内容のバイト数は、前記第１のメッセージ内容のバイト数よりも小さく、
前記第２のメッセージ内容を表示すること
を備えることを特徴とする未読メッセージ表示方法。
【請求項８】
請求項７に記載の未読メッセージ表示方法であって、前記第２のメッセージ内容を表示することは、指定されたオブジェクトが位置する通信記録インタフェースの指定表示領域内に前記要第２のメッセージ内容を表示することを備え、前記指定表示領域は、前記通信記録インタフェースに重なる表示領域である、ことを特徴とする未読メッセージ表示方法。
【請求項９】
請求項８に記載の未読メッセージ表示方法であって、前記第２のメッセージ内容を表示後、前記指定表示領域内で、前記すべての未読メッセージに向けた動作命令を受信し、および前記動作命令に従って、前記すべての未読メッセージに向けた、前記動作命令に対応する操作を実行することをさらに備えることを特徴とする未読メッセージ表示方法。
【請求項１０】
請求項９に記載の未読メッセージ表示方法であって、前記動作命令に従って、前記すべての未読メッセージに向けた、前記動作命令に対応する前記操作を実行することは、
前記すべての未読メッセージに返信すること、前記すべての未読メッセージの未読状態または既読状態を調節すること、および前記すべての未読メッセージを評価すること
のうち少なくとも１つを含むことを特徴とする未読メッセージ表示方法。
【請求項１１】
請求項８に記載の未読メッセージ表示方法であって、前記指定されたオブジェクトが位置する前記通信記録インタフェースの前記指定表示領域内に前記第２のメッセージ内容を表示する前に、
前記すべての未読メッセージのカウントアイコンに関するユーザトリガ命令を受信し、前記トリガ命令は、前記指定表示領域の表示をトリガするためにあること
をさらに備えることを特徴とする未読メッセージ表示方法。
【請求項１２】
請求項８に記載の未読メッセージ表示方法であって、前記指定されたオブジェクトは、グループオブジェクトを備え、前記指定されたオブジェクトが位置する前記通信記録インタフェースの前記指定表示領域内に前記第２のメッセージ内容を表示するとき、前記未読メッセージ表示方法は、
前記指定表示領域内の前記グループオブジェクト内の指定されたメッセージ投稿オブジェクトの投稿されたメッセージの数を表示し、前記指定されたメッセージ投稿オブジェクトは、前記グループオブジェクト内の最高優先度レベルのメッセージ投稿オブジェクト、または前記グループオブジェクト内で最も多く投稿されたメッセージを伴うＮ個のメッセージ投稿オブジェクトを備え、前記Ｎは１以上の自然数であること
をさらに備えることを特徴とする未読メッセージ表示方法。
【請求項１３】
請求項８に記載の未読メッセージ表示方法であって、
前記数が前記事前設定しきい値よりも小さいとき、前記指定表示領域内に前記第１のメッセージ内容を表示すること
をさらに備えることを特徴とする未読メッセージ表示方法。
【請求項１４】
請求項１３に記載の未読メッセージ表示方法であって、前記指定表示領域内に前記第１のメッセージ内容を表示するとき、
前記指定表示領域内で前記すべての未読メッセージの前記第１のメッセージ内容に関する選択命令を受信し、前記選択命令に従って、前記指定表示領域内に表示される前記第１のメッセージ内容を決定すること
をさらに備えることを特徴とする未読メッセージ表示方法。
【請求項１５】
請求項８から１４のいずれか一項に記載の未読メッセージ表示方法であって、前記指定されたオブジェクトが位置する前記通信記録インタフェースの前記指定表示領域内に前記第２のメッセージ内容を表示した後に、
前記通信記録インタフェース上の別の領域に関してユーザからタップ命令またはクリック命令を受信し、前記別の領域は、前記通信記録インタフェース上の前記指定表示領域以外の領域であり、前記タップ命令または前記クリック命令によりトリガされたとき、前記指定表示領域を閉じ、
前記タップ命令または前記クリック命令によりトリガされたとき、前記指定表示領域を閉じること
をさらに備えることを特徴とする未読メッセージ表示方法。
【請求項１６】
ヒューマン−マシンインタフェースを提供するためのコンピュータ端末であって、前記ヒューマン−マシンインタフェースは、
通信記録インタフェースを示すための第１の制御手段と、
前記通信記録インタフェース上の指定されたオブジェクトのすべての未読メッセージの数を示すための、前記第１の制御手段上に配置された第２の制御手段と、
前記すべての未読メッセージの第１のメッセージ内容を要約した後に得られる第２のメッセージ内容を示すための第３の制御手段と
を備えることを特徴とするコンピュータ端末。
【請求項１７】
請求項１６に記載のコンピュータ端末であって、前記第３の制御手段は、前記すべての未読メッセージ用の返信制御手段、前記すべての未読メッセージの未読状態を調節するための制御手段、および前記すべての未読メッセージを評価するための制御手段のうち少なくとも１つを含むことを特徴とするコンピュータ端末。
【請求項１８】
記憶媒体であって、前記記憶媒体は、内蔵プログラムを備え、前記プログラムは、実行中であるとき、前記記憶媒体が位置する機器を制御し、前記機器に、ダイアログメッセージから未読メッセージを取得する機能、前記未読メッセージの要約されたメッセージ内容を取得するために前記未読メッセージを要約する機能、前記要約されたメッセージ内容をユーザに示す機能を実行させることを特徴とする記憶媒体。
【請求項１９】
プロセッサであって、前記プロセッサは、プログラムを実行するためにあり、前記プログラムは、実行中であるとき、ダイアログメッセージから未読メッセージを取得する機能、前記未読メッセージの要約されたメッセージ内容を取得するために前記未読メッセージを要約する機能、前記要約されたメッセージ内容をユーザに示す機能を実行することを特徴とするプロセッサ。
【請求項２０】
端末であって、
ダイアログメッセージから未読メッセージを取得し、前記未読メッセージの要約されたメッセージ内容を取得するために前記未読メッセージを要約するためのプロセッサと、
前記要約されたメッセージ内容をユーザに示すための、前記プロセッサに接続されている表示手段と
を備えることを特徴とする端末。
【発明の詳細な説明】
【技術分野】
【０００１】
（関連出願の相互参照）
本出願は、内容全体が参照により本明細書に組み入れられる、２０１８年２月７日に提出された、名称を「Ｍｅｓｓａｇｅ  Ｐｒｏｃｅｓｓｉｎｇ  Ｍｅｔｈｏｄ，  Ｕｎｒｅａｄ  Ｍｅｓｓａｇｅ  Ｄｉｓｐｌａｙ  Ｍｅｔｈｏｄ  ａｎｄ  Ｃｏｍｐｕｔｅｒ  Ｔｅｒｍｉｎａｌ（メッセージ処理方法、未読メッセージ表示方法、およびコンピュータ端末）」とする中国特許出願２０１８１０１２２８６３．４号に基づく優先権を主張する。
【０００２】
本出願は、通信技術の分野に関する。詳細には、本出願は、メッセージ処理方法、未読メッセージ表示方法、およびコンピュータ端末に関する。
【背景技術】
【０００３】
通信技術が進展するにつれ、さらに多くのユーザが、他の人と通信するために、インスタント通信ツール（たとえば、ＱＱまたはＷｅＣｈａｔ）の使用を選択する。しかしながら、既存のインスタント通信ツールは、依然としていくつかの欠点を有している。たとえば、会議に参加後、ユーザは、自分の電話機をオンにして、多くの未読メッセージ、すなわちグループチャットメッセージと単一チャットメッセージの両方がＷｅＣｈａｔ  Ｗｏｒｋ上に表示されているのに気づくことがある。さらに、各グループで１００以上のメッセージがすでに存在することがあり、ダイアログボックスは「…」を表示している。この状況でユーザは、これらのメッセージを開いて閲覧すべきか、単に無視すべきかと思い巡らす可能性が非常に高い。グループチャットダイアログ内のこの情報は、実際に自分に関係があるのだろうか？この情報は、実際に今処理する必要があるのだろうか？この情報はどれだけ急を要するのか？上記の疑問すべては、ユーザを悩まし、ユーザの使用体験に影響を及ぼす。
【０００４】
上記で記述した問題を解決するために、従来技術には以下の解決手段がある。従来技術の解決手段１：ロックされた画面上に情報を提示し、直接右方向にスワイプすることにより返信できるようにする。しかしながら、この解決手段の欠点は、グループチャット内容または個人チャット内容を複数受信したとき、最も重要な内容を確認することができないことである。たとえば、グループチャットの複数のメッセージに関しては、内容が何か、および送信者がだれかはまったく明らかではない。したがって、現状の下で先に進む必要があるかどうかを評価することができない。従来技術の解決手段２：チャットインタフェース内にキーワードを入力して、重要な内容を検索する。しかしながら、この解決手段の欠点は、この解決手段が、ユーザが率先してキーワードを検索してキーワードの場所を特定する必要があることである。そのような挙動は、ある種の能動的なユーザ動作であり、この動作は比較的非効率である。明らかに、上記で記述する従来技術の解決手段は、インスタントメッセージングツールを使用する過程でユーザによる未読メッセージの処理が非効率であるという問題を依然として効果的に解決することができない。
【発明の概要】
【０００５】
上記で記述する問題に対処する効果的解決手段は、まだまったく提出されてない。
【０００６】
本出願の実施形態は、インスタントメッセージングツールを使用する過程でユーザによる未読メッセージの処理が非効率であるという技術的問題を少なくとも解決するためのメッセージ処理方法、未読メッセージ表示方法、およびコンピュータ端末を提供する。
【０００７】
本出願の実施形態の一様態によるメッセージ処理方法を提供する。メッセージ処理方法は、ダイアログメッセージから未読メッセージを取得し、前記未読メッセージの要約されたメッセージ内容を取得するために前記未読メッセージを要約し、前記要約されたメッセージ内容をユーザに示すことを備える。
【０００８】
本出願の実施形態の一様態による未読メッセージ表示方法を提供する。未読メッセージ表示方法は、指定されたオブジェクトに対応するすべての未読メッセージの数を取得し、前記数を事前設定しきい値と比較し、前記数が事前設定しきい値よりも大きいとき、第２のメッセージ内容を取得するためにすべての前記未読メッセージの第１のメッセージを要約し、前記第２のメッセージ内容のバイト数は、前記第１のメッセージ内容のバイト数よりも小さいく、前記第２のメッセージ内容を表示することを備える。
【０００９】
本出願の実施形態の別の様態による、ヒューマン−マシンインタフェースを提供するためのコンピュータ端末をさらに提供する。前記ヒューマン−マシンインタフェースは、通信記録インタフェースを示すための第１の制御手段と、指定されたオブジェクトのすべての未読メッセージの数を前記通信記録インタフェース内に示すための、前記第１の制御手段上に配置された第２の制御手段と、前記すべての未読メッセージの第１のメッセージ内容を要約した後に得られる第２のメッセージ内容を示すための第３の手段とを備える。
【００１０】
本出願の実施形態の別の様態による記憶媒体をさらに提供する。前記記憶媒体は、内蔵プログラムを備え、前記プログラムは、実行中であるとき、前記記憶媒体が位置する機器を制御し、ダイアログメッセージから未読メッセージを取得する機能と、前記未読メッセージの要約されたメッセージ内容を取得するために、前記未読メッセージを要約する機能と、前記要約されたメッセージ内容をユーザに示す機能とを機器に実行させる。
【００１１】
本出願の実施形態の別の様態によるプロセッサをさらに提供する。前記プロセッサは、プログラムを実行させるためにあり、前記プログラムは、実行中であるとき、ダイアログメッセージから未読メッセージを取得する機能と、前記未読メッセージの要約されたメッセージ内容を取得するために前記未読メッセージを要約する機能と、前記要約されたメッセージ内容をユーザに示す機能とを実行する。
【００１２】
本出願の実施形態の別の様態による端末をさらに提供する。端末は、ダイアログメッセージから未読メッセージを取得し、前記未読メッセージの要約されたメッセージ内容を取得するために前記未読メッセージを要約するためのプロセッサと、前記要約されたメッセージ内容をユーザに示すための、前記プロセッサに接続されている表示手段とを備える。
【００１３】
本出願の実施形態では、インスタントメッセージングツールのダイアログメッセージから未読メッセージを取得し、前記未読メッセージの要約されたメッセージ内容を得るために前記未読メッセージを要約する。次いで、前記要約されたメッセージ内容をユーザに提示してよい。それにより、ユーザがインスタントメッセージングツールを使用する過程で未読メッセージを効率的に処理するのを便利にするという目的を達成し、その結果、改善されたユーザ体験という技術的結果を達成することが可能である。インスタントメッセージングツールを使用している間、ユーザによる未読メッセージの処理が非効率であるという技術的問題は、このように解決される。
【００１４】
ここに記述する図面は、本出願をさらに理解することが意図され、本出願の一部を形成する。本出願の例示的実施形態およびそれらについての記述は、本出願を説明することが意図され、本出願の不適当な制限を構成するものではない。
【図面の簡単な説明】
【００１５】
【図１】従来技術による、未読メッセージ表示方法を実装するためのコンピュータ端末（または移動体機器）のハードウェア構造構成図である。
【００１６】
【図２】本出願のある実施形態による、経路決定方法を実装するためのヒューマンーマシンインタフェースである。
【００１７】
【図３】本出願のある実施形態による、未読メッセージ表示方法のフローチャートである。
【００１８】
【図４ａ】本出願のある実施形態による、任意選択の未読メッセージ表示方法のヒューマンーマシンインタフェースの図である。
【００１９】
【図４ｂ】本出願のある実施形態による、任意選択の未読メッセージ表示方法の通信記録インタフェースの図である。
【００２０】
【図４ｃ】本出願のある実施形態による、任意選択の未読メッセージ表示方法の通信記録インタフェースの図である。
【００２１】
【図４ｄ】本出願のある実施形態による、任意選択の未読メッセージ表示方法の通信記録インタフェースの図である。
【００２２】
【図５】本出願のある実施形態による、任意選択の未読メッセージ表示方法のフローチャートである。
【００２３】
【図６】本出願のある実施形態による、任意選択の未読メッセージ表示方法のフローチャートである。
【００２４】
【図７】本出願のある実施形態による、任意選択の未読メッセージ表示方法のフローチャートである。
【００２５】
【図８】本出願のある実施形態による、未読メッセージ表示手段の構造構成図である。
【００２６】
【図９】本出願のある実施形態による、メッセージ処理方法のフローチャートである。
【００２７】
【図１０】本出願のある実施形態による、メッセージ処理手段の構造構成図である。
【発明を実施するための形態】
【００２８】
当業者が本出願をよりよく理解できるように、本出願の実施形態の技術的枠組みについて、本出願の実施形態の図面を考慮して明確に、かつ完全に記述する。明らかに、記述する実施形態は、本出願の実施形態の単なる一部であり、実施形態すべてではない。創造的取り組みをさらに費やすことのない限り、本出願の実施形態に基づき当業者により得られる他の実施形態すべては、本出願の保護の範囲に入るものとする。
【００２９】
本出願の明細書、特許請求の範囲、および図面では用語「第１の」、「第２の」などは、類似物を区別するために使用されており、類似物の特定のシーケンスまたは順序について記述するために使用されるのでは必ずしもないことを理解されたい。このように使用されるデータは、適宜交換してよいことを理解されたい。したがって、本明細書で記述する本出願の実施形態は、本明細書で示す、または記述するシーケンス以外のシーケンスで実装することができる。それに加えて、用語「備える（ｃｏｍｐｒｉｓｅ）」および「有する（ｈａｖｅ）」ならびにそれらの変化形は非排他的であることを意味する。たとえば、一連のステップまたはユニットを包含する処理、方法、システム、製品、または機器は、明確に列挙されたステップまたはユニットに限定される必要があるのではなく、明確に列挙されていない、またはこれらの処理、方法、製品、または機器に固有の、他のステップまたはユニットを備えてよい。
何よりもまず、本出願の実施形態を記述する処理で出現する用語の一部は、以下に説明するように適用される。
【００３０】
神経言語学的プログラミング（Ｎｅｕｒｏ−ｌｉｎｇｕｉｓｔｉｃ  ｐｒｏｇｒａｍｍｉｎｇ、ＮＬＰ）：ＮＬＰは、コンピュータ−ヒューマン音声変換に焦点を当てるコンピュータ科学の分野および音声学の分野に属する。ＮＬＰはまた、身体−精神文法プログラミング（ｂｏｄｙ−ｍｉｎｄ  ｇｒａｍｍａｒ  ｐｒｏｇｒａｍｍｉｎｇ）または自然言語処理として変換される。ＮＬＰは、ちょうどコンピュータプログラムがソフトウェア更新を受けることがあるように、変更することができる人間の思考および活動の習慣を指す。
【００３１】
ＷｅＣｈａｔ  Ｗｏｒｋ：ＷｅＣｈａｔ  Ｗｏｒｋは、従業員の毎日の使用習慣に適合する業務協力ツールを指す。ＷｅＣｈａｔの基礎の上に発生したので、ＷｅＣｈａｔ  Ｗｏｒｋの主要な利点は、ＷｅＣｈａｔ  Ｗｏｒｋのインスタント通信特徴である。
【００３２】
ダイアログボックス：グラフィックユーザインタフェースでは、ダイアログボックスは、ユーザインタフェースでユーザに情報を表示するための、または必要なときにユーザ入力の返信を取得するための、すなわち、コンピュータとユーザの間の対話をもたらし、ユーザにいくつかの情報を提供する、またはユーザに入力を要求する、あるいはその両方のための、特殊なウィンドウである。
【００３３】
実施形態１
本出願のある実施形態による未読メッセージ表示方法のある実施形態をさらに提供する。図面中のフローチャートに描くステップを、コマンドを実行することができるコンピュータのグループなどのコンピュータシステムで実行することができることに留意されたい。さらに、フローチャートには論理シーケンスが描かれているが、いくつかの状況では、描かれた、または記述されたステップは、ここにあるシーケンス以外のシーケンスで実行されてよい。
【００３４】
本出願の各実施形態についてより詳細に記述する前に、図１を参照して、本出願の原理を実装するために使用することができる適切なコンピュータ端末について記述する。
【００３５】
図１は、経路決定方法を実装するためのコンピュータ端末（または移動体機器）のハードウェア構造構成図を示す。図示された構造は、説明のための適切な環境の一例でしかなく、本出願の使用範囲または機能に何ら制限をもたらさない。このコンピュータ端末はまた、図１に示すどんな構成要素または構成要素の組合せに関しても、どんな依存性または要件も有しないと解釈されるべきである。
【００３６】
本出願の実施形態１により提供される方法の実施形態は、移動体端末、コンピュータ端末、または類似の動作機器上で実行されてよい。図１は、未読メッセージ表示方法を実装するためのコンピュータ端末（または移動体機器）のハードウェア構造構成図を示す。図１に示すように、コンピュータ端末１０（または移動体機器１０）は、１つまたは複数の（図面では１０２ａ、１０２ｂ、…、１０２ｎにより示す）プロセッサ１０２（プロセッサ１０２は、マイクロプロセッサ（ＭＣＵ）またはプログラム可能論理デバイス（ｐｒｏｇｒａｍｍａｂｌｅ  ｌｏｇｉｃ  ｄｅｖｉｃｅ、ＦＰＧＡ）などの処理手段を含んでよいが、それらに限定されない）、データを記憶するためのメモリ１０４、および通信機能用伝送モジュール１０６を備えてよい。それに加えて、コンピュータ端末１０は、表示機器、入出力インタフェース（Ｉ／Ｏインタフェース）、ユニバーサルシリアルバス（ｕｎｉｖｅｒｓａｌ  ｓｅｒｉａｌ  ｂｕｓ、ＵＳＢ）ポート（Ｉ／Ｏインタフェースの中のポートとして含まれてよい）、ネットワークインタフェース、電源、および／またはカメラをさらに備えてよい。当業者は、図１に示す構造が例示的であり、上記で記述した電子機器の構造に制約を課さないことを理解することができる。たとえば、コンピュータ端末１０は、図１に示すよりも多くの、または少ない構成要素をさらに備えてよい、または図１に示す構成と異なる構成を有してよい。
【００３７】
１つまたは複数のプロセッサ１０２および／または他のデータ処理回路を、本文書では一般に「データ処理回路」と呼ぶことがあることに留意されたい。データ処理回路のすべてまたは一部は、ソフトウェア、ハードウェア、ファームウェア、またはそれらの任意の組合せとして具体化されてよい。それに加えて、データ処理回路は、単一の独立した処理モジュール、またはコンピュータ端末１０（または移動体機器）と完全に、または部分的に統合された他の構成要素のいずれかとすることができる。本出願の実施形態でタッチされるデータ処理回路は、ある種のプロセッサ制御手段（たとえば、インタフェースに接続するための可変抵抗端子経路の選択）の役割を果たす。
【００３８】
メモリ１０４は、本出願の実施形態で未読メッセージ表示方法に対応するプログラム命令／データ記憶手段など、アプリケーションソフトウェアプロフラムおよびモジュールを記憶し得る。メモリ１０４に記憶されたソフトウェアプログラムおよびモジュールを実行させることにより、プロセッサ１０２は、さまざまな機能アプリケーションおよびデータ処理を実行する。すなわち、プロセッサ１０２は、上記で記述したように、アプリケーションの未読メッセージ表示方法を実装する。メモリ１０４は、高速ランダムアクセスメモリを備えてよい。メモリ１０４は、１つまたは複数の磁気記憶装置、フラッシュメモリ、または他の不揮発性固体メモリなどの不揮発性メモリをさらに備えてよい。いくつかの実施形態では、メモリ１０４は、プロセッサ１０２に対して遠隔に配置されたメモリをさらに備えてよい。そのような遠隔メモリは、ネットワークを介してコンピュータ端末１０に接続されてよい。上記で記述するネットワークの例は、インターネット、会社のイントラネット、ローカルエリアネットワーク、移動体通信ネットワーク、およびそれらの組合せを含むが、それらに限定されない。
【００３９】
伝送手段１０６は、ネットワークを介してデータを受信または送信する。ネットワークの具体例は、通信提供業者によりコンピュータ端末１０に提供される無線ネットワークを含み得る。ある実施形態では、伝送手段１０６は、基地局を介して他のネットワークに接続し、それによりインターネットと通信することができるネットワークインタフェースコントローラ（ｎｅｔｗｏｒｋ  ｉｎｔｅｒｆａｃｅ  ｃｏｎｔｒｏｌｌｅｒ、ＮＩＣ）を備える。ある例では、伝送手段１０６は、インターネットと無線で通信するための無線周波数（ｒａｄｉｏ  ｆｒｅｑｕｅｎｃｙ、ＲＦ）モジュールであってよい。
【００４０】
表示機器は、たとえばタッチスクリーン液晶表示装置（ｌｉｑｕｉｄ  ｃｒｙｓｔａｌ  ｄｉｓｐｌａｙ、ＬＣＤ）とすることができる。この液晶表示装置により、ユーザは、コンピュータ端末１０（または移動体機器）のユーザインタフェースと対話可能になる。
【００４１】
いくつかの実施形態では、上記で記述した、図１に示すコンピュータ機器（または移動体機器）は、タッチ表示機器（「タッチスクリーン」または「タッチ表示スクリーン」とも呼ばれる）を有する。いくつかの実施形態では、上記で記述した、図１に示すコンピュータ機器（または移動体機器）は、グラフィカルユーザインタフェース（ｇｒａｐｈｉｃａｌ  ｕｓｅｒ  ｉｎｔｅｒｆａｃｅ、ＧＵＩ）を有する。ユーザは、タッチ感知表面にタッチする指の接触および／またはジェスチャによりＧＵＩとのヒューマン−マシン対話に参加してよい。ヒューマン−マシン対話機能は、この場合、通信インタフェース、電子メール受信、通話インタフェース、ウェブページ作成、描画、テキスト処理、電子文書作成、ゲーム、テレビ会議、デジタルビデオ再生、デジタルオーディオ再生、および／またはインターネット閲覧という対話を任意選択で含む。上記で記述したヒューマン−マシン対話機能を実行するための実行可能命令は、１つもしくは複数のプロセッサにより実行可能なコンピュータプログラムの中に、または読出し可能記憶媒体の中に構成される／記憶される。
【００４２】
本出願の実施形態が提供するある実施形態は、インターネットに広く適用されてよい。本出願で提供する前述のコンピュータ端末１０を使用して、ヒューマン−マシン対話を提供してよい。図２は、本出願のある実施形態による経路決定方法を実装するためのヒューマン−マシンインタフェースである。図２に示すように、前記ヒューマン−マシンインタフェースは、第１の制御手段２０、第２の制御手段２２、および第３の制御手段２４を備える。
【００４３】
第１の制御手段２０は、通信記録インタフェースを示すためにある。第１の制御手段上に配置される第２の制御手段２２は、通信記録インタフェース内の指定されたオブジェクトのすべての未読メッセージの数を示すためにある。第３の制御手段２４は、すべての未読メッセージの第１のメッセージ内容を要約した後に得られる第２のメッセージ内容を示すためにある。
【００４４】
任意選択の実施形態として、ヒューマン−マシンインタフェースは、通信インタフェースであってよいが、それに限定されない。たとえば、ヒューマン−マシンインタフェースは、制御手段の各々が方法およびデータをパッケージ化する通信記録インタフェースであってよい。コンピュータプログラミングでは制御手段は、グラフィックユーザインタフェースの要素であってよく、表示される情報をどのように表示するかをユーザが修正してよい。たとえば、閲覧ボックス、テキストボックス、アイコン、ボタン、および他の基本的な可視構成単位が存在する。これらは、アプリケーションプログラムに包含され、プログラムが処理するすべてのデータだけではなく、このデータに関係がある対話動作も制御する。
【００４５】
第１の制御手段２０は、テキストボックス、複合ボックス（メニューまたはプルダウンメニューを伴うテキストボックス）、表示ボックス、ウィンドウ、または他のタイプの制御手段であってよいことを理解されたい。第１の制御手段２０を使用して、上記で記述したインタフェース上に通信記録インタフェースを提示してよい。第２の制御手段２２は、第１の制御手段上に配置されたタグ、アイコン、情報バー、状態バー、または他のタイプの制御手段であってよい。第２の制御手段２２を使用して、指定されたオブジェクトのすべての未読メッセージの数を前記通信記録インタフェース上に提示してよく、指定されたオブジェクトは、グループチャットオブジェクトまたは個人チャットオブジェクトを含むが、それに限定されない。第３の制御手段２４は、テキストボックス、複合ボックス（メニューまたはプルダウンメニューを伴うテキストボックス）、表示ボックス、ウィンドウ、または他のタイプの制御手段であってよい。第３の制御手段２４を使用して、すべての未読メッセージの第１のメッセージ内容を要約した後に得られる第２のメッセージ内容を提示してよい。
【００４６】
任意選択的な実施形態では、第３の制御手段２４は、すべての未読メッセージに関する返信制御手段、すべての未読メッセージの未読状態を調節するための制御手段、およびすべての未読メッセージを評価するための制御手段のうち少なくとも１つをさらに含んでよい。
【００４７】
通信技術が進展するにつれ、さらに多くの人々が、他の人々と通信するために、インスタント通信ツールを使用することを選択する。さらに、インスタント通信ツールを使用する通信が人々の習慣および思考の不可欠の部分になってきたという事実により影響を受け、企業ユーザは、インスタント通信ツールと整合性のある通信体験をする豊かな職場用アプリケーションを有する。企業ユーザは、おなじみの通信体験、ならびに使用のシンプルさおよび使用しやすさという利点を有するＷｅＣｈａｔ  Ｗｏｒｋなどのインスタント通信ツールを選択する傾向にある。インスタント通信ツールは、企業内の従業員が企業専用通信ツールを不安なく容易に使用できるようにする。
【００４８】
上記で記述した実行時環境では、本出願は、図３に示すように、未読メッセージ表示方法を提供する。図３は、本出願のある実施形態による未読メッセージ表示方法のフローチャートである。
【００４９】
本出願の未読メッセージ表示方法のための実行主体は、図１のコンピュータ端末１０であってよい、またはＱＱ、ＷｅＣｈａｔ、Ｗａｎｇｗａｎｇ、および他のインスタント通信ソフトウェアなどのさまざまなタイプのインスタント通信ツールに適用されてよいが、それらに限定されないことに留意されたい。図３に示すように、未読メッセージ表示方法は、以下のステップによって実装されてよい。
【００５０】
ステップＳ２０２：指定されたオブジェクトに対応するすべての未読メッセージの数を取得する。
【００５１】
ステップＳ２０２では，指定されたオブジェクトは、グループチャットオブジェクトまたは個人チャットオブジェクトを含んでよいが、それに限定されない。
【００５２】
任意選択の実施形態では、サーバは、ユーザ端末を通してユーザにより送信されたカウントリクエストを受信後、指定されたオブジェクトに対応するすべての未読メッセージの数を取得してよい。すなわち、ユーザは、ユーザ端末により提供されるヒューマン−マシンインタフェース内のすべての未読メッセージに関するカウントアイコンをクリック、タップ、またはタッチしてよく、ユーザ端末は、次いでサーバにカウントリクエストを送信する。ユーザ端末は、スマートホン（たとえば、Ａｎｄｒｏｉｄ電話機またはｉＯＳ電話機）、タブレットコンピュータ（たとえば、ｉＰａｄ（登録商標））、コンピュータ、または他の端末機器であってよい。
【００５３】
ステップＳ２０４：数を事前設定しきい値と比較する。
【００５４】
ステップＳ２０６：数が事前設定しきい値よりも大きいとき、すべての未読メッセージの第１のメッセージ内容を要約し第２のメッセージ内容を取得し、第２のメッセージ内容のバイト数は、第１のメッセージ内容のバイトよりも小さい。
【００５５】
ステップＳ２０８：第２のメッセージ内容を表示する。
【００５６】
上記のステップＳ２０４において、事前設定しきい値は、インスタント通信ツールにより最初に生成された合理的しきい値であってよい。たとえば、ユーザの未読メッセージの処理効率を高めるために、事前設定しきい値を最初に「７」に設定してよい。しかしながら、ユーザは、必要に応じて事前設定しきい値の設定を個人化してよい。たとえばユーザは、インスタント通信ツール内の「設定」で事前設定しきい値の設定を規定してよく、事前設定しきい値の設定を「３」、「５」、「１０」などに変更する。たとえば一部のユーザは、かなり多くの友人およびチャットグループを有し、事前設定しきい値「７」では未読メッセージの効率的処理という目標を依然として達成することができない。したがって、一部のユーザは、「１０」または「１５」などのより大きな値に事前設定しきい値を修正することができる。それに加えて、ユーザがより少ない友人およびチャットグループを有し、未読メッセージを多く有する可能性が高くない場合、かつ事前設定しきい値が「７」である場合、ユーザは、「３」または「５」などのより小さな値に事前設定しきい値を変更することを選択してよい。上記の分析は単なる例示であり、それに限定するものではないことに留意されたい。上記の分析は、本出願を具体的に限定するものと理解されるべきではない。
【００５７】
ステップＳ２０６において、第１のメッセージ内容は、未読メッセージのすべてである。第２のメッセージ内容は、ＮＬＰ技術を用いて第１のメッセージ内容を要約することにより得られる要約されたメッセージであってよい。さらに、第２のメッセージ内容のバイト数は、第１のメッセージ内容のバイト数よりも小さい。
【００５８】
任意選択的な実施形態では、比較に従ってすべての未読メッセージの数が事前設定しきい値よりも大きいとき、それは、すべての未読メッセージの現在の数が比較的大きいこと、またはグループチャットオブジェクト内の多くのユーザがメッセージ投稿に積極的に関与していることを示す。そのときＮＬＰ技術を使用して、記すべての未読メッセージの第１のメッセージ内容を要約して、要約された第２のメッセージ内容を取得することが可能である。それに加えて、すべての未読メッセージの数が事前設定しきい値以下であるとき、要約することなくすべての未読メッセージの本来の内容をユーザに示すことを選ぶことが優先されてよい。
【００５９】
それに加えて、グループチャットメッセージを速やかに閲覧する過程で、グループチャットメッセージの数のすべての未読メッセージの数［原文のまま］が事前設定しきい値よりも大きいことを比較結果が示す場合、現在の情報から最上位３つのメッセージ投稿者を選択する。次いで、ユーザが自分へのグループチャットメッセージの値を評価するのを手助けすること、およびユーザが未読メッセージを閲覧し、返信することにより費やす時間を低減することが可能である。
次に、ある例としてインスタントメッセージングソフトウェアの業務バージョンを使用する。例を用いて本出願の任意選択の実装形態について説明する。
【００６０】
ユーザがインスタントメッセージングソフトウェアに登録し、ログインした後、通信記録インタフェースは、図４ａに示すように、「討論グループＡ」、「トレーニング討論グループＢ」、「設計チーム討論グループ」、および他のチャットオブジェクトだけではなく、「Ｌｉ  Ｈｏｎｇ」、「Ｙａｎ  Ｚｅｍｉｎｇ」、および「Ｗｅｉｌｉａｏ  ｗｉｌｌ」などの個人チャットオブジェクトも表示する。本出願のある実施形態では、ユーザは、通信記録インタフェース上のカウントアイコン（図４ａの右側にある卵形アイコン）をタップして、カウント命令をトリガしてよい。ユーザ端末は、ユーザによりトリガされたカウント命令を受信した後、カウントリクエストをサーバに送信する。サーバは、次いで前記グループチャットオブジェクトまたは前記個人チャットオブジェクトのすべての未読メッセージの数を取得する。図４ａに示すように、現在のユーザが個人チャットオブジェクト「Ｗｅｉｌｉａｏ  ｗｉｌｌ」のすべての未読メッセージの数を得る必要がある場合、ユーザは、図４ａの「Ｗｅｉｌｉａｏ  ｗｉｌｌ」ダイアログボックスの右側にある卵形アイコンをタップしてよく、次いで図４ｂに示すように、「Ｗｅｉｌｉａｏ  ｗｉｌｌ」ダイアログボックスに対応するすべての未読メッセージの数として「１２」を取得してよい。メッセージを手早く閲覧してよい指定表示領域もまた生成される。さらに、取得したすべての未読メッセージの数が事前設定しきい値よりも大きい場合、ＮＬＰ技術を使用して、すべての未読メッセージの第１のメッセージ内容を要約して、要約された第２のメッセージ内容を得てよく、要約された第２のメッセージ内容は、図４ｂに示す、指定された表示領域の「概要」領域内に表示される。
【００６１】
上記の実施形態により規定される枠組みから、以下のことが明らかになる、すなわち、指定されたオブジェクトに対応するすべての未読メッセージの数を取得し、数を事前設定しきい値と比較し、数が事前設定しきい値よりも大きいとき、すべての未読メッセージの第１のメッセージを要約して、第２のメッセージ内容を得て、第２のメッセージ内容のバイト数は、第１のメッセージ内容のバイト数よりも小さく、第２のメッセージ内容を表示する。
【００６２】
本出願の上記の実施形態により提供される枠組みによって、ユーザがインスタントメッセージングツールを使用する過程で未読メッセージを効率的に処理するのを便利にするという目的を達成し、その結果、改善されたユーザ体験という技術的結果を達成することが可能である。インスタントメッセージングツールを使用している間、ユーザによる未読メッセージの処理が非効率であるという技術的問題は、このように解決される。
【００６３】
任意選択的な実施形態では、第２のメッセージ内容を表示するステップは、指定されたオブジェクトが位置する通信記録インタフェースの指定表示領域内に第２のメッセージ内容を表示するステップであって、指定表示領域は、通信記録インタフェースに重なる表示領域であるステップを備える。
【００６４】
任意選択的な実施形態では、通信記録インタフェースの指定表示領域内に第２のメッセージ内容を表示することが可能である。上記に記述した図４ｂ〜図４ｄに示すように、指定表示領域は、前記通信記録インタフェースに重なる表示領域である。このとき第２のメッセージ内容を目立つように表示する技術的結果を実装して、第２のタイプのメッセージをユーザが即座に、効率的に閲覧するのを容易にすることが可能である。これにより、インスタントメッセージングツールを使用する過程で未読メッセージを効率的に処理するのを容易にするという目的がユーザにより達成され、したがって、ユーザの使用体験を改善するという技術的結果が達成される。
【００６５】
任意選択的な実施形態では、指定されたオブジェクトが位置する通信記録インタフェースの指定表示領域内に第２のメッセージ内容を表示する前に、方法は、すべての未読メッセージのカウントアイコンに関するユーザトリガ命令を受信することをさらに備え、トリガ命令は、指定表示領域の表示をトリガするためにある。
【００６６】
図４ａに再度示すように、現在のユーザは、個人チャットオブジェクト「Ｗｅｉｌｉａｏ  ｗｉｌｌ」のすべての未読メッセージの数を得る必要がある場合、図４ａの「Ｗｅｉｌｉａｏ  ｗｉｌｌ」ダイアログボックスの右側にある卵形アイコンをタップしてよく、次いで、図４ｂに示すように、「Ｗｅｉｌｉａｏ  ｗｉｌｌ」ダイアログボックスに対応するすべての未読メッセージの数として「１２」を取得してよい。通信記録インタフェースに重なるダイアログボックスなどの、メッセージを手早く閲覧してよい指定表示領域もまた生成される。
【００６７】
任意選択的な実施形態では、図５は、本出願のある実施形態による任意選択の未読メッセージ表示方法のフローチャートである。図５に示すように、前記第２のメッセージ内容を表示後、任意選択の未読メッセージ表示方法は以下を備える。
【００６８】
ステップＳ４０２：指定表示領域内で前記すべての未読メッセージに向けた動作命令を受信する。
【００６９】
ステップＳ４０４：記動作命令に従って、すべての未読メッセージに向けた、動作命令に対応する動作を遂行する。
【００７０】
上記のステップＳ３０２およびＳ３０４により提供される任意選択の実施形態では、通信記録インタフェースに重なる指定表示領域内に第２のメッセージ内容を表示後、指定表示領域はまた、「返信」、「既読にする」、「いいね（Ｌｉｋｅ）」、または他の動作命令などのユーザ動作命令を受信してよい。任意選択の実施形態では、ユーザは、クリック、タップ、またはタッチすることにより前記動作命令をトリガしてよい。
【００７１】
任意選択の実施形態では、動作命令に従って、すべての未読メッセージに向けた、動作命令に対応する動作を遂行する操作は、以下のうち少なくとも１つを含む。
【００７２】
すべての未読メッセージに返信する。任意選択で、この処理は、指定表示領域内で返信する形態、または動作命令を受信後、すべての未読メッセージが位置するダイアログページに進み、ダイアログページ上のダイアログボックス内で返信する形態をとってよい。
【００７３】
すべての未読メッセージの未読状態または既読状態を調節する。たとえば、未読状態を既読状態に変更し、未読状態を既読状態に変更した後、指定表示領域を閉じる。
【００７４】
前記すべての未読メッセージを評価する。たとえば、すべての未読メッセージに対して「いいね」または他のそのような動作を遂行する。
【００７５】
実施形態で、図４ｂ〜図４ｄに示す「既読にする」アイコンをタップ、タッチ、またはスワイプして、未読メッセージの未読状態または既読状態を調節してよく、図４ｂ〜図４ｄに示す「いいね」アイコンをクリック、タッチ、またはスワイプして、すべての未読メッセージを「いいね」にしてよいことに留意されたい。
【００７６】
上記で記述した実施形態から、図４ｂ〜図４ｄに示すように、ユーザは、未読メッセージ内容を手早く閲覧するために、カウントアイコンをタップ、タッチ、またはスワイプする必要があるだけであることは明らかである。さらに、メッセージダイアログボックスを開くことなく、ユーザは、「いいね」、「既読にする」、または「返信」などの動作を遂行してよく、その結果、ユーザが未読メッセージを閲覧して、メッセージに返信し、メッセージを「いいね」にする動作経路を短縮し、ユーザがインスタントメッセージングツールを使用する過程で未読メッセージを効率的に処理することを便利にする。
【００７７】
任意選択的な実施形態では、指定されたオブジェクトは、グループオブジェクトを備える。指定されたオブジェクトが位置する通信記録インタフェースの指定表示領域内に前記第２のメッセージ内容を表示するとき、方法は以下をさらに備える。
【００７８】
グループオブジェクト内の指定されたメッセージ投稿オブジェクトの投稿されたメッセージの数を指定表示領域内に表示する。指定されたメッセージ投稿オブジェクトは、グループオブジェクト内で最高優先度レベルのメッセージ投稿オブジェクト、またはグループオブジェクト内で最も多く投稿されたメッセージを伴うＮ個のメッセージ投稿オブジェクトを含み、Ｎは１以上の自然数である。
【００７９】
任意選択的な実施形態では、最高優先度レベルのメッセージ投稿オブジェクトは、グループチャットオブジェクト内のグループ監理者、重役、またはチームリーダであってよいが、それらに限定されない。本出願では、メッセージ投稿オブジェクトの優先度レベルを設定してよい。たとえば、現在のグループオブジェクトが業務グループチャットである場合、グループ監理者の優先度レベルを最高のレベルに設定し、続いて企業の総支配人、副支配人、および他の上級監理者を、次いで通常のユーザを設定してよい。
【００８０】
図４ｄは、すべての未読メッセージの数が事前設定しきい値よりも大きいグループチャットオブジェクトの通信記録インタフェース（メッセージリストインタフェース）を示す。図４ｄに示すように、本開示の実施形態は、グループチャットオブジェクト内で最も多くのメッセージを投稿された３つのメッセージ投稿オブジェクトのカウントを行い、投稿されたメッセージ数に従って３つの最上位のメッセージ投稿オブジェクトをランクづけしてよい。その場合、本開示の実施形態は、複数の未読メッセージダイアログが存在するときにユーザが各ダイアログ内の未読メッセージ内容を取得する経路を短縮することができる。同時に、本開示の実施形態は、ユーザがインスタントメッセージングツールを使用する過程で未読メッセージを効率的に処理することができるように、未読メッセージを閲覧し、メッセージに返信し、メッセージを「いいね」にする経路を短縮する。
【００８１】
任意選択的な実施形態では、方法は、数が事前設定しきい値よりも小さいとき、第１のメッセージ内容を前記指定表示領域内に表示することをさらに備える。
【００８２】
任意選択的な実施形態として、図４ｃは、すべての未読メッセージの数が事前設定しきい値以下であるときの通信記録インタフェースを示す。図４ｃに示すように、未読メッセージのすべては、要約される必要なくユーザに提示されてよい。
【００８３】
任意選択の実施形態では、図６は、本出願のある実施形態による任意選択の未読メッセージ表示方法のフローチャートである。図６に示すように、第１のメッセージ内容を前記指定表示領域内に表示するとき、方法は以下をさらに備える。
【００８４】
ステップＳ５０２：指定表示領域内で前記すべての未読メッセージの第１のメッセージ内容に関する選択命令を受信する。
【００８５】
ステップＳ５０４：選択命令に基づき指定表示領域内に表示される第１のメッセージ内容を決定する。
【００８６】
図４ｂ〜図４ｄに示すように、本出願のある実施形態では、ユーザはまた、通信記録インタフェース上の「前」または「次」のアイコンをタップまたはタッチして、複数の未読メッセージの第１のメッセージ内容を上または下に切り替えてよい。たとえばユーザは、通信記録インタフェース上で図４ｂに示す「前」アイコンをタップして、前の未読メッセージを閲覧してよい、または通信記録インタフェース上で図４ｂに示す「次」アイコンをタップして、次の未読メッセージを閲覧してよい。
【００８７】
上記のステップＳ５０２およびＳ５０４により提供される任意選択の実施形態に基づき、ユーザは、インスタントメッセージングツールを使用する過程で未読メッセージを効率的に処理し、したがって、ユーザの使用体験を改善するという技術的結果を達成するように、指定表示領域内で通信記録インタフェース上の「前」または「次」のアイコンをタップまたはタッチして、複数の未読メッセージの第１のメッセージ内容を上または下に切り替えてよい。
【００８８】
任意選択的な実施形態では、指定されたオブジェクトが位置する通信記録インタフェースの指定表示領域内に第２のメッセージ内容を表示後、方法は、通信記録インタフェースの別の領域内でユーザによるタップ命令またはクリック命令を受信することをさらに備える。
【００８９】
任意選択的な実施形態では、別の領域は、通信記録インタフェース内の指定表示領域以外の領域である。指定表示領域は、タップ命令またはクリック命令によりトリガされたときに閉じられる。
【００９０】
上記の任意選択的な実施形態に基づき、ユーザ端末は、通信記録インタフェース上の別の領域内でユーザからタップ命令またはクリック命令を受信し、タップ命令またはクリック命令によりトリガされて、通信記録インタフェース上の指定表示領域をクリアしてよい。
【００９１】
図７は、本出願のある実施形態による任意選択の未読メッセージ表示方法のフローチャートである。図７に示すように、以下は、ある例として特定の任意選択の実装形態を使用する。例を用いて本出願の任意選択の実装形態について説明する。
【００９２】
ステップＳ６０２：インスタントメッセージングソフトウェアを開き、通信記録インタフェースに入力する。
【００９３】
上記で記述したステップＳ６０２では、インスタントメッセージングソフトウェアは、ＱＱ、ＷｅＣｈａｔ、またはＷａｎｇｗａｎｇなどの、ユーザ端末上のインスタント通信ツールであってよいが、これらに限定されない。通信記録インタフェースは、インスタントメッセージングソフトウェア内のメッセージリストインタフェースであってよく、図４ａ〜図４ｄに表示されるインタフェースの形態で示されてよいが、それに限定されない。
【００９４】
前記ユーザ端末は、スマートホン（たとえば、Ａｎｄｒｏｉｄ電話機またはｉＯＳ電話機）、タブレットコンピュータ（たとえば、ｉＰａｄ）、コンピュータ、または他の端末機器であってよい。
【００９５】
ステップＳ６０４：カウントアイコンをタップすることにより、指定されたオブジェクトに対応するすべての未読メッセージの数を取得する。
【００９６】
ステップＳ６０４で，指定されたオブジェクトは、グループチャットオブジェクトまたは個人チャットオブジェクトを含んでよいが、それに限定されない。
【００９７】
本出願のある実施形態では、ユーザは、通信記録インタフェース上のカウントアイコンをタップして、カウント命令をトリガしてよい。ユーザ端末は、ユーザによりトリガされたカウント命令を受信した後、サーバにカウントリクエストを送信する。サーバは、次いで前記グループチャットオブジェクトまたは前記個人チャットオブジェクトのすべての未読メッセージの数を取得する。
【００９８】
任意選択的な実施形態では、サーバは、ユーザ端末を通してユーザにより送信されたカウントリクエストを受信後、指定されたオブジェクトに対応するすべての未読メッセージの数を取得してよい。すなわち、ユーザは、ユーザ端末により提供されるヒューマン−マシンインタフェース内のすべての未読メッセージに関するカウントアイコンをクリック、タップ、またはタッチしてよく、ユーザ端末は、次いでサーバにカウントリクエストを送信する。
【００９９】
ステップＳ６０６：指定表示領域内に前記すべての未読メッセージに関するダイアログボックスを表示する。
【０１００】
上記で記述したＳ６０４の後、事前設定しきい値は数と比較されてよく、数が事前設定しきい値よりも大きいとき、すべての未読メッセージの第１のメッセージ内容を要約して、第２のメッセージ内容を得る。さらに、通信記録インタフェースの指定表示領域内に第２のメッセージ内容を表示する。図４ｂ〜図４ｄに示すように、指定表示領域は、通信記録インタフェースに重なる表示領域であり、具体的には、ステップＳ６０６により提供される任意選択の実施形態では、すべての未読メッセージを表示するための閲覧ダイアログボックスであってよい。このときユーザが第２のタイプのメッセージを即座に、効率的に見ることができるように、第２のメッセージ内容を目立つように表示するという技術的結果を達成することが可能である。
【０１０１】
第１のメッセージ内容は、未読メッセージのすべてであることに留意されたい。第２のメッセージ内容は、ＮＬＰ技術を用いて第１のメッセージ内容を要約することにより得られる要約されたメッセージであってよい。さらに、第２のメッセージ内容のバイト数は、前記第１のメッセージ内容のバイト数よりも小さい。
【０１０２】
ステップＳ６０８：ダイアログボックス内のメッセージを処理する必要があるか否かを評価する。
【０１０３】
ステップＳ６０８での評価結果が、ダイアログボックス内のメッセージを処理する必要があるという評価結果である場合、ステップＳ６１６が実行される。評価結果が、前記ダイアログボックス内のメッセージを処理する必要がないという評価結果である場合、ステップＳ６１０が実行される。
ステップＳ６１０：他のダイアログの未読メッセージを閲覧する必要があるか？
【０１０４】
上記で記述したＳ６１０において、他のダイアログの未読メッセージを閲覧する必要があるか否かに関して評価を行う。評価結果が、他のダイアログ内の未読メッセージを閲覧する必要があるという評価結果である場合、ステップＳ６１４が実行される。評価結果が、他のダイアログ内の未読メッセージを閲覧する必要がないという評価結果である場合、ステップＳ６１２が実行される。
【０１０５】
ステップＳ６１２：通信記録インタフェース上の別の領域をタップし、ダイアログボックスは消滅する。
【０１０６】
ステップＳ６１２において、ユーザ端末は、通信記録インタフェースの別の領域内でユーザからタップ命令またはクリック命令を受信し、タップ命令またはクリック命令によりトリガされて、通信記録インタフェースから指定表示領域をクリアしてよく、すなわち、ダイアログボックスは消滅する。
【０１０７】
ステップＳ６１４：通信記録インタフェース上で「前」アイコンまたは「次」アイコンをタップまたはタッチすることにより、複数の未読メッセージの第１のメッセージ内容を上または下に切り替えさせる。
【０１０８】
図４ｂ〜図４ｄに示すように、本出願のある実施形態では、ユーザはまた、ステップＳ６１４で、通信記録インタフェース上で「前」アイコンまたは「次」アイコンをタップまたはタッチして、複数の未読メッセージの第１のメッセージ内容を上または下に切り替えてよい。たとえば、ユーザは、通信記録インタフェース上で図４ｂに示す「前」アイコンをタップして、前の未読メッセージを閲覧してよい、または通信記録インタフェース上で図４ｂに示す「次」アイコンをタップして、次の未読メッセージを閲覧してよい。
【０１０９】
ステップＳ６１６：ダイアログボックス内のメッセージが返信を必要とするかどうかを評価する。
【０１１０】
任意選択的な実施形態では、通信記録インタフェースに重なる指定表示領域内に第２のメッセージ内容を表示後、指定表示領域はまた、「返信」、「既読にする」、「いいね」、または他の動作命令などのユーザ動作命令を受信してよい。任意選択的な実施形態では、ユーザは、タップまたはタッチによって動作命令をトリガし、次いでダイアログボックス内のメッセージが処理を必要とするかどうかを評価してよい。
【０１１１】
任意選択的な実施形態では、処理は、すべての未読メッセージへの返信、すべての未読メッセージの未読状態および既読状態の調節、およびすべての未読メッセージの評価という形態のうち少なくとも１つをとってよい。
【０１１２】
上記のステップＳ６１６での評価結果がＹｅｓである場合、以下のステップＳ６２０が実行される。上記のステップＳ６１６での評価結果がＮｏである場合、以下のステップＳ６１８が実行される。
【０１１３】
ステップＳ６１８：「既読にする」アイコンをタップする。ダイアログボックスは消滅し、ダイアログページ上のカウントアイコンは消滅する。
【０１１４】
ステップＳ６１８において、図４ｂ〜図４ｄに示す「既読にする」アイコンにタップまたはタッチすることにより、すべての未読メッセージの未読状態または既読状態を調節することが可能である。さらに、「既読にする」アイコンをタップした後、ダイアログボックスは消滅し、ダイアログページ上のカウントアイコンは消滅する。
【０１１５】
ステップＳ６２０：返信するためにダイアログページに入力する必要があるか否かを評価する。
【０１１６】
ステップＳ６２２：ダイアログページに入力する。
【０１１７】
ステップＳ６２０において、評価結果が、返信するためにダイアログページに入力する必要があるということである場合、ステップＳ６２２を実行する（すなわち、ダイアログページに入力する）。評価結果が、返信するためにダイアログページに入力する必要がないという評価結果である場合、それは、返信することが、ユーザの返信する方法ではないことを意味し、むしろ「いいね」にすることにより評価し、ステップＳ６２４を実行する。
【０１１８】
ステップＳ６２４：「いいね」アイコンをタップし、ダイアログボックスは消滅し、ダイアログページ上に「いいね」を表示する。
【０１１９】
ステップＳ６２４でにおいて図４ｂ〜図４ｄに示す「いいね」アイコンをタップまたはタッチすることにより、前記すべての未読メッセージを「いいね」にすることが可能である。さらに、「いいね」をタップした後、ダイアログボックスは消滅し、ダイアログページは「いいね」を表示する。
【０１２０】
上記で記述した実施形態から、図４ｂ〜図４ｄに示すように、ユーザは、未読メッセージ内容を手早く閲覧するために、カウントアイコンをタップまたはタッチする必要があるだけであることは明らかである。さらに、メッセージダイアログボックスを開くことなく、ユーザは、「いいね」、「既読としてマーク」、または「返信」などの動作を遂行してよく、したがって、ユーザが未読メッセージを閲覧し、メッセージに返信し、メッセージを「いいね」にして、インスタントメッセージングツールを使用する過程で未読メッセージを効率的に処理するのを便利にする動作経路を短縮する。
【０１２１】
記述を簡略化するために、上記で記述した方法の実施形態について、活動の一連の組合せとして提示してきたことに留意されたい。しかしながら、本出願は、記述する活動シーケンスにより制限されないことを当業者はよく知っているはずであり、なぜかというと、ステップの一部は、別のシーケンスを利用してよい、または本出願に従って同時に実装されてよいからである。さらに、当業者はまた、本明細書で記述する実施形態が好ましい実施形態であること、および本明細書に伴う活動およびモジュールは、本出願に必ずしも必要ではないこともよく知っているはずである。
【０１２２】
上記の実装形態の記述を通して、当業者は、上記の実施形態に基づく方法を、必要な汎用ハードウェアプラットフォームと共にソフトウェアによって実現してよいことを明確に理解することができる。当然のことながら、ハードウェアもまた使用してよいが、多くの事例では、ソフトウェアは好ましい実装形態である。そのような理解に基づき、本出願の技術的解決手段は、本質的にせよ、従来技術に寄与する部分に関してにせよ、ソフトウェア製品の形態で実現できる。これらのコンピュータソフトウェア製品は、記憶媒体（たとえば、ＲＯＭ／ＲＡＭ、磁気ディスク、および／または光ディスク）上に記憶することができ、１つの端末設備（移動体電話機、コンピュータ、サーバ、またはネットワーク設備とすることができる）に本出願の実施形態で記述する方法を実行させるために使用する一定数の命令を含むことができる。
【０１２３】
実施形態２
本出願のある実施形態は、未読メッセージ表示方法を実装するための手段をさらに提供する。図８は、本出願のある実施形態による未読メッセージ表示手段の構造構成図である。図８に示すように、未読メッセージ表示手段は、第１の取得モジュール７０１、比較モジュール７０３、要約モジュール７０５、および表示モジュール７０７を備える。
【０１２４】
取得モジュール７０１は、指定されたオブジェクトに対応するすべての未読メッセージの数を取得するためにあり、比較モジュール７０３は、数を事前設定しきい値と比較するためにあり、要約モジュール７０５は、数が事前設定しきい値よりも大きいとき、第２のメッセージ内容を得るように、すべての未読メッセージの第１のメッセージ内容を要約するためにあり、第２のメッセージ内容のバイト数は、前記第１のメッセージ内容のバイト数よりも小さく、表示モジュール７０７は、第２のメッセージ内容を表示するためにある。
【０１２５】
第１の取得モジュール７０１、比較モジュール７０３、要約モジュール７０５、および表示モジュール７０７は、実施形態１のステップＳ２０２〜Ｓ２０８に対応することに留意されたい。同じ例および適用状況は、上記のモジュールの各々により、および対応するステップにより実装されるが、上記の実施形態１により開示される内容に限定されない。手段の一部として、実施形態１により提供されるコンピュータ端末１０で前記モジュールを実行してよいことに留意されたい。
【０１２６】
それに加えて、本実施形態の任意選択の実装形態または好ましい実装形態に関して、実施形態１の適切な記述を参照してよいことにもまた留意されたい。本実施形態の任意選択の実装形態または好ましい実装形態については、ここでさらに記述しない。
【０１２７】
実施形態３
本出願のある実施形態は、図９に示すように、メッセージ処理方法を提供する。図９は、本出願のある実施形態によるメッセージ処理方法のフローチャートである。本出願により提供されるメッセージ処理方法のための実行主体は、図１のコンピュータ端末１０であってよいことに留意されたい。方法は、ＱＱ、ＷｅＣｈａｔ、Ｗａｎｇｗａｎｇ、および他のインスタント通信ソフトウェアなどのさまざまなタイプのインスタント通信ツールに適用されてよいが、それに限定されない。図９に示すように、本出願により提供される方法処理方法は、以下のステップを通して実装されてよい。
【０１２８】
ステップＳ９０２：ダイアログメッセージから未読メッセージを取得する。
【０１２９】
ステップＳ９０２において，ダイアログメッセージは、グループチャットオブジェクトまたは個人チャットオブジェクトのダイアログメッセージを含んでよいが、それらに限定されない。未読メッセージは、ユーザが未読のダイアログメッセージである。
【０１３０】
任意選択的な実施形態では、サーバは、ユーザ端末を通してユーザにより送信されたカウントリクエストを受信後、ダイアログメッセージから未読メッセージを取得してよいが、それに限定されない。すなわちユーザは、ユーザ端末により提供されるヒューマン−マシンインタフェース内のすべての未読メッセージに関するカウントアイコンをクリック、タップ、またはタッチしてよく、前記ユーザ端末は、次いでカウントリクエストをサーバに送信する。前記ユーザ端末は、スマートホン（たとえば、Ａｎｄｒｏｉｄ電話機またはｉＯＳ電話機）、タブレットコンピュータ（たとえば、ｉＰａｄ）、コンピュータ、または他の端末機器であってよい。
【０１３１】
それに加えてサーバはまた、ダイアログメッセージから未読メッセージを自動的に取得してよい。たとえば、サーバは、複数の事前に設定された時点に、または１つまたは複数の設定された時間間隔後に、ダイアログメッセージから未読メッセージを自動的に取得する。
【０１３２】
ステップＳ９０４：未読メッセージを要約して、未読メッセージの要約されたメッセージ内容を得る。
【０１３３】
任意選択の実施形態では、比較に従って前記未読メッセージの数が事前設定しきい値よりも大きいとき、それは、すべての未読メッセージの現在の数が比較的大きいこと、またはグループチャットオブジェクト内の多くのユーザがメッセージ投稿に積極的に関与していることを示す。次いで、ＮＬＰ技術を使用して、未読メッセージを要約して、要約されたメッセージ内容を得ることが可能である。それに加えて、未読メッセージの数が事前設定しきい値以下であるとき、要約することなくすべての未読メッセージの本来の内容をユーザに示すことを選ぶことが優先されてよい。
【０１３４】
要約されたメッセージ内容は、ＮＬＰ技術を用いて未読メッセージ内容を要約することにより得られる要約されたメッセージであってよいことに留意されたい。さらに、要約されたメッセージ内容のバイト数は、未読メッセージ内容のバイト数よりも小さい。
【０１３５】
それに加えて、グループチャットメッセージを速やかに見る過程で、比較結果が、グループチャットメッセージの数の未読メッセージの数が事前設定しきい値よりも大きいことを示す場合、現在の情報から最上位３つのメッセージ投稿者を選択する。次いで、ユーザが自分へのグループチャットメッセージの値を評価するのを手助けすること、およびユーザが未読メッセージを閲覧し、返信することにより費やす時間を低減することが可能である。
【０１３６】
ステップＳ９０６：要約されたメッセージ内容をユーザに示す。
【０１３７】
任意選択的な実施形態では、未読メッセージの要約されたメッセージ内容を得たとき、ユーザ端末上で前記要約されたメッセージ内容をユーザが手早く閲覧することができる指定表示領域を生成し、指定表示領域上に要約されたメッセージ内容をユーザに示すこともまた可能である。
【０１３８】
上記の実施形態により規定される枠組みから、ダイアログメッセージから未読メッセージを取得すること、未読メッセージを要約して、未読メッセージの要約されたメッセージ内容を得ること、要約されたメッセージ内容をユーザに示すことが明らかになる。
【０１３９】
本出願の上記の実施形態により提供される枠組みによって、ユーザがインスタントメッセージングツールを使用する過程で未読メッセージを効率的に処理するのを便利にするという目的を達成し、その結果、改善されたユーザ体験という技術的結果を達成することが可能である。インスタントメッセージングツールを使用している間、ユーザによる未読メッセージの処理が非効率であるという技術的問題は、このように解決される。
【０１４０】
任意選択的な実施形態では、要約されたメッセージ内容を示すステップは、指定されたオブジェクトが位置する通信記録インタフェースの指定表示領域内に要約されたメッセージ内容を表示することを備え、前記指定表示領域は、前記通信記録インタフェースに重なる表示領域である。
【０１４１】
任意選択的な実施形態では、通信記録インタフェースの指定表示領域内に要約されたメッセージ内容を表示してよい。次いで、要約されたメッセージ内容をユーザに提示してよい。指定表示領域は、通信記録インタフェースに重なる表示領域である。このとき、要約されたメッセージ内容を目立つように表示するという技術的結果を実装して、要約されたメッセージ内容をユーザが即座に、効率的に閲覧するのを容易にすることが可能である。これにより、インスタントメッセージングツールを使用する過程でユーザにより未読メッセージを効率的に処理するのを容易にするという目的が達成され、その結果、ユーザの使用体験を改善するという技術的結果が達成される。
任意選択の実施形態は、前記要約されたメッセージ内容を示すステップの後に以下のステップをさらに備える。
【０１４２】
ステップＳ１００２：指定表示領域内で前記未読メッセージに向けた動作命令を受信する。
【０１４３】
ステップＳ１００４：動作命令に従って、未読メッセージに向けた、前記動作命令に対応する動作を遂行する。
【０１４４】
上記の任意選択的な実施形態では、通信記録インタフェースに重なる指定表示領域内に第２のメッセージ内容を表示後、指定表示領域はまた、「返信」、「既読にする」、「いいね」、または他の動作命令などのユーザ動作命令を受信してよい。任意選択的な実施形態では、ユーザは、クリック、タップ、またはタッチすることにより動作命令をトリガしてよい。
【０１４５】
任意選択的な実施形態では、動作命令に従って、未読メッセージに向けた、前作命令に対応する操作の実行は、以下のうち少なくとも１つを含む。
【０１４６】
すべての未読メッセージに返信する。任意選択で、この処理は、指定表示領域内で返信する形態、または動作命令を受信した後、すべての未読メッセージが位置するダイアログページに進み、ダイアログページ上のダイアログボックス内で返信する形態をとってよい。
【０１４７】
すべての未読メッセージの未読状態または既読状態を調節する。たとえば、未読状態を既読状態に変更し、未読状態を既読状態に変更した後、指定表示領域を閉じる。
【０１４８】
すべての未読メッセージを評価する。たとえば、すべての未読メッセージに対して、「いいね」または他のそのような動作を遂行する。
任意選択の実施形態では、前記要約されたメッセージ内容をユーザに提示した後、方法は以下のステップをさらに備える。
【０１４９】
ステップＳ１１０２：ダイアログメッセージに関連するグループ内の指定されたメッセージ投稿オブジェクトを決定し、指定されたメッセージ投稿オブジェクトは、グループオブジェクト内で最高優先度レベルのメッセージ投稿オブジェクト、または前記グループオブジェクト内で最も多く投稿されたメッセージを伴うＮ個のメッセージ投稿オブジェクトを備え、Ｎは１以上の自然数である。
【０１５０】
ステップＳ１１０４：指定されたメッセージ投稿オブジェクトによりグループ内に投稿されたメッセージの数をカウントする。
【０１５１】
ステップＳ１１０６：指定されたメッセージ投稿オブジェクトにより投稿されたメッセージの数を示す。
【０１５２】
任意選択の実施形態では、最高優先度レベルのメッセージ投稿オブジェクトは、グループチャットオブジェクト内のグループ監理者、重役、またはチームリーダであってよいが、それらに限定されない。本出願では、メッセージ投稿オブジェクトの優先度レベルを設定してよい。たとえば、現在のグループオブジェクトが業務グループチャットである場合、グループ監理者の優先度レベルを最高のレベルに、続いて企業の総支配人、副支配人、および他の上級監理者を、次いで通常のユーザを設定してよい。
【０１５３】
本開示の実施形態はまた、グループチャットオブジェクト内に最も多くのメッセージを投稿された３つのメッセージ投稿オブジェクトのカウントを行い、投稿されたメッセージ数に従って、３つの最上位のメッセージ投稿オブジェクトをダイアログボックス内のランク位置にランクづけしてよいが、それに限定されない。したがって、本開示の実施形態は、複数の未読メッセージダイアログが存在するときにユーザが各ダイアログ内の未読メッセージ内容を取得する経路を短縮することができる。同時に、本開示の実施形態は、ユーザがインスタントメッセージングツールを使用する過程で未読メッセージを効率的に処理することができるように、未読メッセージを閲覧し、メッセージに返信し、未読メッセージを「いいね」にする経路を短縮する。
【０１５４】
それに加えて、本出願のある実施形態では、本出願は、アイコンまたはコーナーマーク内で、前記指定されたメッセージ投稿オブジェクトにより投稿されたメッセージの数をユーザに提示してよいが、それに限定されない。
任意選択の実施形態では、未読メッセージを要約する前に、方法は以下をさらに備える。
【０１５５】
ステップＳ１２０２：ダイアログメッセージに関連するグループ内の未読メッセージの数を取得する。
【０１５６】
ステップＳ１２０４：数を事前設定しきい値と比較する。
【０１５７】
ステップＳ１２０６：比較結果に基づき未読メッセージの要約をトリガすべきかどうかを判断し、未読メッセージの要約は、数が事前設定しきい値よりも大きいことを比較結果が示すときにトリガされる。
【０１５８】
任意選択の実施形態では、未読メッセージを要約する前に、ダイアログメッセージに関連するグループの未読メッセージの数を取得し、数を事前設定しきい値と比較し、数が事前設定しきい値よりも大きいことを比較結果が示すときに未読メッセージを要約し、その結果、要約されたメッセージ内容を得ることが可能である。次いで、通信記録インタフェースの指定表示領域内に要約されたメッセージ内容を表示することができ、指定表示領域は、通信記録インタフェースに重なる表示領域である。
【０１５９】
このとき上記の実施形態を用いて、ユーザが要約されたメッセージ内容を即座に、効率的に閲覧することができるように、要約されたメッセージ内容を目立つように表示するという技術的結果を達成することが可能である。
【０１６０】
実施形態４
本出願のある実施形態は、メッセージ処理方法を実装するための手段をさらに提供する。図１０は、本出願のある実施形態によるメッセージ処理手段の構造構成図である。図１０に示すように、メッセージ処理手段は、第２の取得モジュール１００１、要約モジュール１００３、および提示モジュール１００５を備える。
【０１６１】
第２の取得モジュール１００１は、ダイアログメッセージから未読メッセージを取得するためにあり、要約モジュール１００３は、未読メッセージを要約して、未読メッセージの要約されたメッセージ内容を得るためにあり、提示モジュール１００５は、要約されたメッセージ内容をユーザに示すためにある。
【０１６２】
第２の取得モジュール１００１、要約モジュール１００３、および提示モジュール１００５は、実施形態３のステップＳ９０２〜Ｓ９０６に対応する。同じ例および適用状況は、上記のモジュールの各々により、および対応するステップにより実装されるが、上記の実施形態３により開示される内容に限定されない。手段の一部として、実施形態１により提供されるコンピュータ端末１０でモジュールを実行させてよいことに留意されたい。
【０１６３】
それに加えて、本実施形態の任意選択的な実装形態または好ましい実装形態に関して、実施形態１および３の関係のある記述を参照してよいことにもまた留意されたい。本実施形態の任意選択の実装形態または好ましい実装形態については、ここでさらに記述しない。
【０１６４】
実施形態５
本出願のある実施形態は、端末を提供してよい。端末は、端末のグループ内の任意のコンピュータ端末機器であってよい。任意選択で、本実施形態では、前記コンピュータ端末はまた、移動体端末などの端末機器に置換されてよい。
【０１６５】
任意選択的に、本実施形態では、端末は、コンピュータネットワークの複数のネットワーク機器の中の少なくとも１つのネットワーク機器上に位置してよい。
【０１６６】
任意選択的に、本実施形態では、コンピュータ端末は、コンピュータネットワークの複数のネットワーク機器の中の少なくとも１つのネットワーク機器上に位置してよい。
【０１６７】
本実施形態では、端末は、プロセッサであって、指定されたオブジェクトに対応するすべての未読メッセージの数を取得し、数を事前設定しきい値と比較し、数が事前設定しきい値よりも大きいときにすべての未読メッセージの第１のメッセージ内容を要約して、バイト数が第１のメッセージ内容のバイト数よりも小さい第２のメッセージ内容を得るためのプロセッサと、第２のメッセージ内容を表示するための表示手段とを備える。
【０１６８】
任意選択的に、端末は、端末のグループ内の任意のコンピュータ端末機器であってよい。図１に示すように、コンピュータ端末は、１つまたは複数のプロセッサ、メモリ、および伝送手段を備えてよい。
【０１６９】
メモリを使用して、ソフトウェアプログラムおよびモジュールを、たとえば、本出願のある実施形態の安全な未読メッセージ表示方法および手段に対応するプログラム命令／モジュールを記憶してよい。メモリに記憶したソフトウェアプログラムおよびモジュールを実行させることにより、プロセッサは、さまざまな機能アプリケーションおよびデータ処理を実行する、すなわち、前記未読メッセージ表示方法を実装する。メモリは、高速ランダムアクセスメモリを備えてよい。メモリは、１つまたは複数の磁気記憶装置、フラッシュメモリ、または他の不揮発性固体メモリなどの不揮発性メモリをさらに備えてよい。いくつかの実施形態では、メモリは、プロセッサに対して遠隔に配置されたメモリをさらに備えてよい。そのような遠隔メモリは、ネットワークを介して端末Ａに接続されてよい。上記で記述するネットワークの例は、インターネット、会社のイントラネット、ローカルエリアネットワーク、移動体通信ネットワーク、およびそれらの組合せを含むが、それらに限定されない。
【０１７０】
本実施形態では、前記コンピュータ端末は、出願の未読メッセージ表示方法で、指定されたオブジェクトに対応するすべての未読メッセージの数を取得するステップ、前記数を事前設定しきい値と比較するステップ、前記数が事前設定しきい値よりも大きいときに前記すべての未読メッセージの第１のメッセージ内容を要約して、第２のメッセージ内容を得るステップであって、前記第２のメッセージ内容のバイト数は、前記第１のメッセージ内容のバイト数よりも小さいステップ、および前記第２のメッセージ内容を表示するステップのためのプログラムコードを実行することができる。
【０１７１】
プロセッサは、伝送手段を介して、メモリに記憶されている情報およびアプリケーションを呼び出して、指定されたオブジェクトに対応するすべての未読メッセージの数を取得するステップ、数を事前設定しきい値と比較するステップ、数が事前設定しきい値よりも大きいときにすべての未読メッセージの第１のメッセージ内容を要約して、第２のメッセージ内容を得るステップであって、第２のメッセージ内容のバイト数は、第１のメッセージ内容のバイト数よりも小さいステップ、および第２のメッセージ内容を表示するステップを実行してよい。
【０１７２】
任意選択的に、プロセッサは、指定されたオブジェクトが位置する通信記録インタフェースの指定表示領域内に第２のメッセージ内容を表示するステップのためのプログラムコードをさらに実行してよく、指定表示領域は、通信記録インタフェースに重なる表示領域である。
【０１７３】
任意選択的に、セッサは、指定表示領域内で前記すべての未読メッセージに向けた動作命令を受信するステップ、および動作命令に従って、すべての未読メッセージに向けた、動作命令に対応する動作を遂行するステップのためのプログラムコードをさらに実行してよい。
【０１７４】
任意選択的に、プロセッサは、すべての未読メッセージに返信するステップ、すべての未読メッセージの未読状態および既読状態を調節するステップ、およびすべての未読メッセージを評価するステップのためのプログラムコードをさらに実行してよい。
【０１７５】
任意選択的に、プロセッサは、すべての未読メッセージのカウントアイコンに関するユーザトリガ命令を受信するステップのためのプログラムコードをさらに実行してよい。トリガ命令は、指定表示領域の表示をトリガするためにある。
【０１７６】
任意選択的に、プロセッサは、指定表示領域内のグループオブジェクト内の指定されたメッセージ投稿オブジェクトの投稿されたメッセージの数を表示するステップのためのプログラムコードをさらに実行してよい。指定されたメッセージ投稿オブジェクトは、グループオブジェクト内の最高優先度レベルのメッセージ投稿オブジェクト、またはグループオブジェクト内で最も投稿されたメッセージを伴うＮ個のメッセージ投稿オブジェクトを備え、Ｎは１以上の自然数である。
【０１７７】
任意選択的に、プロセッサは、数が事前設定しきい値よりも小さいとき、指定表示領域内に第１のメッセージ内容を表示するステップのためのプログラムコードをさらに実行してよい。
【０１７８】
任意選択的に、プロセッサは、指定表示領域内ですべての未読メッセージの第１のメッセージ内容に関する選択命令を受信するステップ、選択命令に従って、指定表示領域内に表示される第１のメッセージ内容を決定するステップのためのプログラムコードをさらに実行してよい。
【０１７９】
任意選択的に、プロセッサは、通信記録インタフェース内の別の領域に関してユーザからタップ命令またはクリック命令を受信するステップ、別の領域は、通信記録インタフェース上の指定表示領域以外の領域であり、タップ命令またはクリック命令によりトリガされたとき、指定表示領域を閉じるステップのためのプログラムコードをさらに実行してよい。
【０１８０】
本出願のある実施形態により未読メッセージを表示するための枠組みを提供する。指定されたオブジェクトに対応するすべての未読メッセージの数を取得し、数を事前設定しきい値と比較し、数が事前設定しきい値よりも大きいとき、すべての未読メッセージの第１のメッセージを要約して、第２のメッセージ内容を得て、第２のメッセージ内容のバイト数は、第１のメッセージ内容のバイト数よりも小さく、第２のメッセージ内容を表示する。それにより、インスタントメッセージングツールを使用する過程においてユーザが未読メッセージを効率的に処理することを容易にするという目的を達成し、インスタントメッセージングツールを使用している間、ユーザによる未読メッセージの処理が非効率であるという技術的問題は、このように解決される。
【０１８１】
本実施形態では、コンピュータ端末は、出願の未読メッセージ表示方法で、ダイアログメッセージから未読メッセージを取得するステップ、未読メッセージを要約して、未読メッセージの要約されたメッセージ内容を得るステップ、要約されたメッセージ内容をユーザに示すステップのためのプログラムコードをさらに実行してよい。
【０１８２】
任意選択的に、プロセッサは、指定されたオブジェクトが位置する通信記録インタフェースの指定表示領域内に要約されたメッセージ内容を表示するステップのためのプログラムコードをさらに実行してよい。指定表示領域は、通信記録インタフェースに重なる表示領域である。
【０１８３】
任意選択的に、記プロセッサは、指定表示領域内で未読メッセージに向けた動作命令を受信するステップ、および動作命令に従って、未読メッセージに向けた、動作命令に対応する操作を実行するステップのためのプログラムコードをさらに実行してよい。
【０１８４】
任意選択において、プロセッサは、ダイアログメッセージに関連するグループ内の指定されたメッセージ投稿オブジェクトを決定するステップ、指定されたメッセージ投稿オブジェクトは、グループオブジェクト内の最高優先度レベルのメッセージ投稿オブジェクト、またはグループオブジェクト内で最も多く投稿されたメッセージを伴うＮ個のメッセージ投稿オブジェクトを備え、Ｎは１以上の自然数であり、指定されたメッセージ投稿オブジェクトによりグループ内に投稿されたメッセージの数をカウントするステップ、指定されたメッセージ投稿オブジェクトにより投稿されたメッセージの数を示すステップのためのプログラムコードをさらに実行してよい。
【０１８５】
任意選択的に、プロセッサは、ダイアログメッセージに関連するグループの未読メッセージの数を取得するステップ、数を事前設定しきい値と比較するステップ、比較結果に基づき未読メッセージの要約をトリガすべきか否かを判断するステップのためのプログラムコードをさらに実行してよい。未読メッセージの要約は、数が事前設定しきい値よりも大きいことを比較結果が示すときにトリガされる。
【０１８６】
本出願のある実施形態により未読メッセージを表示する枠組みを提供する。ダイアログメッセージから未読メッセージを取得し、未読メッセージを要約して、未読メッセージの要約されたメッセージ内容を得る。要約されたメッセージ内容をユーザに示す。それにより、ユーザがインスタントメッセージングツールを使用する過程で未読メッセージを効率的に処理するのを便利にするという目的を達成することが可能である。インスタントメッセージングツールを使用している間、ユーザによる未読メッセージの処理が非効率であるという技術的問題は、このように解決される。
【０１８７】
当業者は、図１に示す構造が単なる例示であることを理解することができる。コンピュータ端末はまた、スマートホン（Ａｎｄｒｏｉｄ電話機またはｉＯＳ電話機など）、タブレットコンピュータ、パームトップコンピュータ、移動体インターネット機器（ｍｏｂｉｌｅ  Ｉｎｔｅｒｎｅｔ  ｄｅｖｉｃｅ、ＭＩＤ）、ＰＡＤ、または別の端末機器とすることができる。図１は、上記で記述した電子機器の構造に制約を課さない。たとえば、コンピュータ端末１０は、図１に示すよりも多くの、または少ない構成要素（ネットワークインタフェースおよび表示機器など）をさらに備えてよい、または図１に示す構成と異なる構成を有してよい。
【０１８８】
当業者は、上記で記述した実施形態のさまざまな方法のステップのすべてまたは一部を、コンピュータ端末関連ハードウェアに命令するプログラムを使用することにより完了してよいことを理解することができる。プログラムをコンピュータ可読記憶媒体に記憶してよく、記憶媒体は、フラッシュドライブ、読出し専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、または光ディスクを備えてよい。
【０１８９】
実施形態６
本出願のある実施形態は、記憶媒体を提供する。任意選択的に、本実施形態では前記記憶媒体を使用して、上記の実施形態１により提供される未読メッセージ表示方法により実行されるプログラムコードを保存してよい。
【０１９０】
任意選択で、本実施形態において記憶媒体は、コンピュータネットワーク内にあるコンピュータ端末グループ内部の任意のコンピュータ上に、または移動体端末グループ内部の任意の移動体端末上に位置してよい。
【０１９１】
任意選択的に、本実施形態において記憶媒体は、指定されたオブジェクトに対応するすべての未読メッセージの数を取得するステップ、数を事前設定しきい値と比較するステップ、数が事前設定しきい値よりも大きいときにすべての未読メッセージの第１のメッセージ内容を要約して、第２のメッセージ内容を得るステップで、第２のメッセージ内容のバイト数は、第１のメッセージ内容のバイト数よりも小さく、および第２のメッセージ内容を表示するステップを実行するためのプログラムコードを記憶するようにセットアップされてよい。
【０１９２】
任意選択的に、記憶媒体は、指定されたオブジェクトが位置する通信記録インタフェースの指定表示領域内に前記第２のメッセージ内容を表示するステップを実行するためのプログラムコードを記憶するようにさらにセットアップされてよい。指定表示領域は、通信記録インタフェースに重なる表示領域である。
【０１９３】
任意選択的に、記憶媒体は、指定表示領域内で、すべての未読メッセージに向けた動作命令を受信するステップ、および動作命令に従って、すべての未読メッセージに向けた、動作命令に対応する操作を実行するステップを実行するためのプログラムコードを記憶するようにさらにセットアップされてよい。
【０１９４】
任意選択的に、記憶媒体は、すべての未読メッセージに返信するステップ、すべての未読メッセージの未読状態および既読状態を調節するステップ、およびすべての未読メッセージを評価するステップを実行するためのプログラムコードを記憶するようにさらにセットアップされてよい。
【０１９５】
任意選択で、記憶媒体は、すべての未読メッセージのカウントアイコンに関するユーザトリガ命令を受信するステップを実行するためのプログラムコードを記憶するようにさらにセットアップされてよい。トリガ命令は、前記指定表示領域の表示をトリガするためにある。
【０１９６】
任意選択的に、記憶媒体は、指定表示領域内のグループオブジェクト内の指定されたメッセージ投稿オブジェクトの投稿されたメッセージの数を表示するステップを実行するためのプログラムコードを記憶するようにさらにセットアップされてよい。指定されたメッセージ投稿オブジェクトは、グループオブジェクト内の最高優先度レベルのメッセージ投稿オブジェクト、またはグループオブジェクト内で最も多く投稿されたメッセージを伴うＮ個のメッセージ投稿オブジェクトを備え、Ｎは１以上の自然数である。
【０１９７】
任意選択的に、記憶媒体は、数が事前設定しきい値よりも小さいとき、指定表示領域内に第１のメッセージ内容を表示するステップを実行するためのプログラムコードを記憶するようにさらにセットアップされてよい。
【０１９８】
任意選択的に、記憶媒体は、指定表示領域内で前記すべての未読メッセージの第１のメッセージ内容に関する選択命令を受信するステップ、選択命令に従って、指定表示領域内に表示される第１のメッセージ内容を決定するステップを実行するためのプログラムコードを記憶するようにさらにセットアップされてよい。
【０１９９】
任意選択的に、記憶媒体は、通信記録インタフェース内の別の領域に関してユーザからタップ命令またはクリック命令を受信するステップ、別の領域は、通信記録インタフェース上の指定表示領域以外の領域であり、タップ命令またはクリック命令によりトリガされたとき、指定表示領域を閉じるステップを実行するためのプログラムコードを記憶するようにさらにセットアップされてよい。
【０２００】
本実施形態において記憶媒体は、ダイアログメッセージから未読メッセージを取得するステップ、未読メッセージを要約して、未読メッセージの要約されたメッセージ内容を得るステップ、要約されたメッセージ内容をユーザに示すステップを実行するためのプログラムコードを記憶するようにセットアップされてよい。
【０２０１】
任意選択的に、記憶媒体は、指定されたオブジェクトが位置する通信記録インタフェースの指定表示領域内に前記要約されたメッセージ内容を表示するステップを実行するためのプログラムコードを記憶するようにさらにセットアップされてよい。指定表示領域は、通信記録インタフェースに重なる表示領域である。
【０２０２】
任意選択的に、記憶媒体は、指定表示領域内で未読メッセージに向けた動作命令を受信するステップ、および動作命令に従って、未読メッセージに向けた、動作命令に対応する操作を実行するステップを実行するためのプログラムコードを記憶するようにさらにセットアップされてよい。
【０２０３】
任意選択的に、記憶媒体は、ダイアログメッセージに関連するグループ内の指定されたメッセージ投稿オブジェクトを決定するステップ、指定されたメッセージ投稿オブジェクトは、グループオブジェクト内の最高優先度レベルのメッセージ投稿オブジェクト、またはグループオブジェクト内でも最も多く投稿されたメッセージを伴うＮ個のメッセージ投稿オブジェクトを備え、Ｎは１以上の自然数であり、指定されたメッセージ投稿オブジェクトによりグループ内に投稿されたメッセージの数をカウントするステップ、指定されたメッセージ投稿オブジェクトにより投稿されたメッセージの数を示すステップを実行するためのプログラムコードを記憶するようにさらにセットアップされてよい。
【０２０４】
任意選択的に、記憶媒体は、ダイアログメッセージに関連するグループの未読メッセージの数を取得するステップ、数を事前設定しきい値と比較するステップ、比較結果に基づき前記未読メッセージの要約をトリガすべきか否かを判断するステップを実行するためのプログラムコードを記憶するようにさらにセットアップされてよい。未読メッセージの要約は、数が事前設定しきい値よりも大きいことを記比較結果が示すときにトリガされる。
【０２０５】
上記で記述した実施形態の連番は、単に記述するためのものでしかなく、実施形態の相対的優位性または劣等性を表しているのではない。
【０２０６】
上記で記述した本出願の実施形態では、各実施形態の記述には、各実施形態それぞれの強調点があり、実施形態の一部については、詳細には記述していない。関連する記述については他の実施形態を参照してよい。
【０２０７】
本出願で提供するいくつかの実施形態では、開示する技術的内容を他の様式で実装してよいことを理解されたい。上記で記述した手段の実施形態は、例示でしかない。たとえば、前記ユニットへの分割は、論理機能による分割でしかない。実際に実装するとき、他の形態の分割が存在してよい。たとえば、複数のユニットまたは構成要素を別のシステムの中に組み合わせてよい、もしくは統合してよい、またはいくつかの特徴を省略してよい、もしくは実行しなくてよい。また、表示または議論されているものの間の連結もしくは直接連結、または通信接続は、いくつかのインタフェースを通してよい。ユニットまたはモジュールの間の間接的な連結または通信接続は、電気的であっても、他の方法によってもよい。
【０２０８】
別個の構成要素として記述したユニットは、物理的に別個であっても、そうではなくてもよく、ユニットとして表示される構成要素は、物理的ユニットであっても、そうではなくてもよい。ユニットを１つの場所に配置することができる、またはユニットを複数のネットワークユニットにわたり分散させることができる。本実施形態の実施形態枠組みを、実際の必要性に従ってユニットの一部またはすべてを選択することにより実現することができる。
【０２０９】
それに加えて、本出願の実施形態の各々の各機能ユニットは、処理ユニットに統合されてよい、または各ユニットは、独立して物理的に存在してよい。または２つ以上のユニットを１つのユニットに統合してよい。上記で記述した統合ユニットをハードウェアの形で実装してよい、またはソフトウェア機能ユニットの形で実装してよい。
【０２１０】
統合ユニットは、ソフトウェアの機能ユニットの形で実装し、独立した製品として販売または使用する場合、コンピュータ可読媒体に記憶されてよい。そのように理解したうえで、本出願の技術的枠組みは、本質的にせよ、従来技術に寄与する部分にせよ、技術的枠組みのすべてまたは一部にせよ、ソフトウェア製品の形で具体化されてよい。これらのコンピュータソフトウェア製品は、記憶媒体に記憶され、（パーソナルコンピュータ、サーバ、またはネットワーク機器とすることができる）コンピュータ機器に本出願のさまざまな実施形態により記述した方法のステップのすべてまたは一部を実行させるためのいくつかの命令を備える。上記で記述した記憶媒体は、ＵＳＢフラッシュドライブ、読出し専用メモリ（ＲＯＭ）、ランダムアクセスメモリ（ＲＡＭ）、携帯型ハードドライブ、磁気ディスクもしくは光ディスク、またはプログラムコードを記憶することができるさまざまな他の媒体を包含する。
【０２１１】
上記は、本出願の好ましい実施形態でしかない。当業者はまた、一定の改善および装飾を行うことができること、ならびにこれらの改善および装飾はまた、本出願の原理を逸脱しない限り、本出願の保護範囲の中に入ると見なされるべきであることに留意されたい。
【図１】
2021513777.tif 000003
【図２】
2021513777.tif 000004
【図３】
2021513777.tif 000005
【図４ａ】
2021513777.tif 000006
【図４ｂ】
2021513777.tif 000007
【図４ｃ】
2021513777.tif 000008
【図４ｄ】
2021513777.tif 000009
【図５】
2021513777.tif 000010
【図６】
2021513777.tif 000011
【図７】
2021513777.tif 000012
【図８】
2021513777.tif 000013
【図９】
2021513777.tif 000014
【図１０】
2021513777.tif 000015
【国際調査報告】
2021513777.tif 000016
2021513777.tif 000017
2021513777.tif 000018
2021513777.tif 000019